(57)【特許請求の範囲】
【請求項１】
直流電流の出力レベルを調整するＤＣレベル調整手段と、
前記ＤＣレベル調整手段によって調整されたＤＣ値をＡ／Ｄ変換するＡ／Ｄ変換手段と、
映像信号調整データを記憶する不揮発性の記憶手段と、
電源投入後に前記記憶手段より読出された映像信号調整データと、前記Ａ／Ｄ変換手段によって変換されたＡ／Ｄ変換値の比較を行い、その差が、所定値以下のときに前記記憶手段より読出された映像信号調整データを出力し、所定値より大きいときには前記Ａ／Ｄ変換手段によって変換されたＡ／Ｄ変換値を映像信号調整データとして出力するデータ変換手段と、
前記データ変換手段より出力される映像信号調整データに基づいて入力された映像信号を調整する映像信号調整手段と、を有することを特徴とする映像信号コントロール装置。
【請求項２】
前記データ変換手段は、
前記Ａ／Ｄ変換手段によって変換されたＡ／Ｄ変換値にヒステリシス処理を行うヒステリシス処理手段と、
前記ヒステリシス処理手段からの出力値を映像信号調整データに変換する映像信号調整データ変換処理手段と、
電源投入後に前記記憶手段に保持されている映像信号調整データを読出し、前記映像信号調整データ変換処理手段によって変換された映像信号調整データを順次記憶手段に書込むメモリ制御手段と、
電源投入後直後に前記メモリ制御手段より読出された映像信号調整データと前記映像信号調整データ変換処理手段より変換された映像信号調整データとの差が所定値以下のときに前記記憶手段より読出された映像信号調整データを出力する比較手段と、を有することを特徴とする請求項１記載の映像信号コントロール装置。
【請求項３】
前記ＤＣレベル調整手段は、電源と接地端間に接続された可変抵抗器であることを特徴とする請求項１又は２記載の映像信号コントロール装置。
【発明の詳細な説明】
【０００１】
【発明の属する技術分野】
本発明は、映像信号を調整するための映像信号コントロール装置に関し、特に電源投入後のヒステリシス処理に特徴を有する映像信号コントロール装置に関するものである。
【０００２】
【従来の技術】
従来映像信号を微妙に調整して使用するシステムにおいては、直流電圧の出力値を微調整し、ＤＣ電圧を用いて映像信号を調整することが当然のごとく実施されている。映像信号の調整項目としては、例えば基準映像信号に対する映像信号出力の水平同期位相（以下、ＳＹＳＴＥＭ  Ｈ位相という）、基準映像信号に対する色搬送波位相（以下、サブキャリ位相という）、映像レベル、色レベル、色相位相等がある。夫々のシステムに対して、ＳＹＳＴＥＭ  Ｈ位相やサブキャリ位相のように、ユーザが、微妙に調整することを要求されるものや、又、映像レベル、色レベルのようにゲインを変化させたり、色相位相を変化させたりして、もとの映像信号を加工して使用する場合がある。その際、ＤＣ出力値の微妙な変化があっても、映像信号の調整値に影響の無いようにＤＣ値にヒステリシスをもたせることは、周知の技術である。
【０００３】
図４は、従来の映像信号コントロール装置の構造を示している。この映像信号コントロール装置は電源と接地端間に接続され、電圧を可変する可変抵抗器１、可変抵抗器１によって設定されたＤＣ値をＡＤ変換するＡ／Ｄ変換装置２、Ａ／Ｄ変換値を読出すマイクロコンピュータ３及び映像信号調整回路４によって構成されている。マイクロコンピュータ３は図４にその機能ブロック図を示すように、主にヒステリシス処理手段３１と映像信号調整データ変換処理手段３２とからなる。
【０００４】
以下、従来の技術の動作について図４を元に説明する。可変抵抗器１により出力されたＤＣ値は、Ａ／Ｄ変換装置２でディジタル信号３０１に変換され、マイクロコンピュータ３により読出される。マイクロコンピュータ３においては、Ａ／Ｄ変換装置２によりディジタル変換された値をＤＣ値の変動により映像信号の調整値が変化しないように、ヒステリシス処理手段３１によってヒステリシス処理が施され、映像信号調整データ変換処理手段３２にて映像信号調整データ３０２に変換される。映像信号調整データ３０２は映像信号調整回路４に出力され、映像信号の調整が行われる。
【０００５】
ここでマイクロコンピュータによるヒステリシス処理について、図５を元に説明する。通常可変抵抗器１によって設定されＡ／Ｄ変換されたＡ／Ｄ変換値が、小から大へ変化する場合と、大から小へ変化する場合とで、Ａ／Ｄ変換値の読みとり方を変えることでヒステリシスをもたせ、ＤＣ値の変化に対して映像信号調整データが変化しないようにする。図５（ａ），（ｂ）において、例えばＡ／Ｄ変換値がＶ０’の位置でヒステリシス手段３１の出力をＡ０、これに対する映像信号調整データをＢ０とする。この状態から可変抵抗器１を回し、Ａ／Ｄ変換値が（小から大に）Ｖ０’からＶ１に変化する場合は、Ａ／Ｄ変換値がＶ１となったときヒステリシス手段３１の出力をＡ１、これに対する映像信号調整データをＢ１とする。逆に図５（ａ），（ｃ）に示すように、Ａ／Ｄ変換値がＶ１の位置でヒステリシス手段３１の出力をＡ１、これに対する映像信号調整データをＢ１とすると、Ａ／Ｄ変換値が大から小に変化してＶ１からＶ０’となってもヒステリシス手段３１の出力をＡ１、これに対する映像信号調整データはＢ１のままとし、Ａ／Ｄ変換値がＶ０となって始めてヒステリシス手段３１の出力をＡ０、これに対する映像信号調整データをＢ０に変化させる。このようにＡ／Ｄ変換値が小から大に変化する場合と、大から小に変化する場合でヒステリシスをもたせることで、ＤＣ値が微妙に変化しても映像信号調整データが変化しないようにする。他のＡ／Ｄ変換値についても同様である。こうしてデータ変換した信号は映像信号調整回路４に調整データ３０２として出力される。
【０００６】
こうすれば同じＡ／Ｄ変換値、例えばＶ０’に対して、映像信号調整データはＡ／Ｄ変換値の変化の仕方によって２通り（この場合はＢ０及びＢ１）存在することになる。このようなボリューム位置にある場合、一度電源をオフし、次に電源をオンした場合、映像信号調整データはＢ０又はＢ１となり、電源をオフとする直前の映像信号調整データに対して変化してしまうことがある。
【０００７】
【発明が解決しようとする課題】
従来の技術においては、ＤＣ値の微妙な変化によっても映像信号の調整値が変化しないようにヒステリシスをもたせる必要がある。しかしながら可変抵抗器の位置によっては、一度電源をオフし、次に電源をオンした際、電源オフ前の前回の映像信号調整値と今回の映像信号調整値とは、微妙に異なる場合がある。ＳＹＳＴＥＭ  Ｈ位相等サブキャリ単位にステップ的に変化を必要とするような映像信号の調整項目によっては、この微妙な調整値のずれが致命的な問題となる。
【０００８】
本発明はこのような従来の問題点に鑑みてなされたものであって、いかなる可変抵抗器の位置にあっても、電源オン／オフの操作にて、映像信号の調整値を変化させないことを目的とする。
【０００９】
【課題を解決するための手段】
この課題を解決するために本願の請求項１の発明は、直流電流の出力レベルを調整するＤＣレベル調整手段と、前記ＤＣレベル調整手段によって調整されたＤＣ値をＡ／Ｄ変換するＡ／Ｄ変換手段と、映像信号調整データを記憶する不揮発性の記憶手段と、電源投入後に前記記憶手段より読出された映像信号調整データと、前記Ａ／Ｄ変換手段によって変換されたＡ／Ｄ変換値の比較を行い、その差が、所定値以下のときに前記記憶手段より読出された映像信号調整データを出力し、所定値より大きいときには前記Ａ／Ｄ変換手段によって変換されたＡ／Ｄ変換値を映像信号調整データとして出力するデータ変換手段と、前記データ変換手段より出力される映像信号調整データに基づいて入力された映像信号を調整する映像信号調整手段と、を有することを特徴とするものである。
【００１０】
本願の請求項２の発明は、請求項１の映像信号コントロール装置において、前記データ変換手段は、前記Ａ／Ｄ変換手段によって変換されたＡ／Ｄ変換値にヒステリシス処理を行うヒステリシス処理手段と、前記ヒステリシス処理手段からの出力値を映像信号調整データに変換する映像信号調整データ変換処理手段と、電源投入後に前記記憶手段に保持されている映像信号調整データを読出し、前記映像信号調整データ変換処理手段によって変換された映像信号調整データを順次記憶手段に書込むメモリ制御手段と、電源投入後直後に前記メモリ制御手段より読出された映像信号調整データと前記映像信号調整データ変換処理手段より変換された映像信号調整データとの差が所定値以下のときに前記記憶手段より読出された映像信号調整データを出力する比較手段と、を有することを特徴とするものである。
【００１１】
本願の請求項３の発明は、請求項１又は２の映像信号コントロール装置において、前記ＤＣレベル調整手段は、電源と接地端間に接続された可変抵抗器であることを特徴とするものである。
【００１２】
【発明の実施の形態】
（実施の形態）
図１は本発明の実施の形態における映像信号コントロール装置を示すブロック図であり、前述した従来例と同一部分は同一符号を付して詳細な説明を省略する。図１において可変抵抗器１は映像信号を可変するためにＤＣ値を可変するＤＣレベル調整手段であり、Ａ／Ｄ変換装置２によりディジタル信号に変換され、マイクロコンピュータ３により読取られる。マイクロコンピュータ３はＡ／Ｄ変換値を任意の映像信号調整データに変換し不揮発性メモリ５に記憶すると共に、映像信号調整回路４に出力する。そして映像信号調整回路４によって映像信号の調整が行われる。
【００１３】
図２はマイクロコンピュータ３内の処理を示す機能ブロック図である。マイクロコンピュータ３はＡ／Ｄ変換値のヒステリシス処理を行うヒステリシス処理手段３１、ヒステリシス処理された信号を映像信号調整データに変換する映像信号調整データ変換手段３２に加えて、不揮発性メモリ５への書込み及び読出しを制御するメモリ制御手段３３、及び電源投入直後にメモリ制御手段３３より読出された映像信号調整データと映像信号調整データ変換手段３２より得られる調整データとを比較し、その差が小さいときにメモリより読出された調整データを出力する比較手段３４の機能を有している。
【００１４】
次に本発明の実施の形態の動作について説明する。そしてこの装置に電源が投入され、可変抵抗器１によって映像信号を変化させるための直流電圧を変化させる。マイクロコンピュータ３は図３に示すフローチャートにおいてまずステップＳ１で不揮発性メモリ５より既に記録されている映像信号調整データ３０４を読出す。そしてステップＳ２に進んでＡ／Ｄ変換装置２からのＡ／Ｄ変換値を読出し、Ａ／Ｄ変換値に対して従来例と同様のヒステリシス処理を行う。即ち図５に示すようにＡ／Ｄ変換値が小から大に変化したとき、例えばＡ／Ｄ変換値がＶ１，Ｖ２，Ｖ３・・・となったときにヒステリシス値をＡ１，Ａ２，Ａ３と変化させる。逆にＡ／Ｄ変換値が大から小になったときには、Ｖ３’，Ｖ２’，Ｖ１’，Ｖ０’でヒステリシス値を夫々Ａ３，Ａ２，Ａ１，Ａ０と変化させる。次いでステップＳ４に進んでこうして得られたヒステリシス値から映像信号調整回路４の調整に必要な映像信号調整データＢ０〜Ｂ４・・・に変換する。そしてステップＳ５に進んで電源の投入直後かどうかを判別する。電源投入直後であればステップＳ６において不揮発性メモリ５から読出したデータとステップＳ４で変換した変換値との差が所定の微小値ε未満かどうかを判別する。この範囲内であれば電源オフの間に可変抵抗器１の抵抗値が変化していないものと考えられるため、不揮発性メモリ５から読出したデータをそのまま映像信号調整回路４に出力する。こうすれば電源オフの直前のヒステリシスの状態をそのまま保存することができ、前回の映像信号の調整値に全く変化させないようにすることができる。そしてステップＳ２に戻って同様の処理を繰り返す。これ以降は電源投入直後でないため、ステップＳ５よりステップＳ８に進んで、ステップＳ４で変換されたデータを映像信号調整回路４に出力する。
【００１５】
次いでデータ出力後にステップＳ９において不揮発性メモリ５に変換されたデータ３０３を書込んでステップＳ２に戻る。電源投入直後でもステップＳ６においてメモリから読出したデータと変換値との差がεを超えている場合には、電源オフの間に可変抵抗器１の抵抗値が変化したため、ステップＳ８に進んでＡ／Ｄ変換されたデータから変換した映像信号調整データを出力する。そしてステップＳ９において不揮発性メモリ５に書込んでおく。こうすれば電源をオフとしてもその調整データは保存される。
【００１６】
尚以上の説明では、映像信号調整データの記憶手段を不揮発性メモリとしたが、メモリの素子自体を不揮発性メモリとしてもよく、ＳＲＡＭ等のメモリを電池によりバックアップして不揮発性を有するメモリとしてもよい。又Ａ／Ｄ変換装置もマイクロコンピュータに内蔵したものを用いてもよいことはいうまでもない。
【００１７】
【発明の効果】
以上のように本発明によれば、可変抵抗器により設定されるＤＣ値をＡ／Ｄ変換装置にてディジタル信号に変換し、マイクロコンピュータにて変換された映像信号調整データを不揮発性メモリに記憶することで、電源オン／オフの操作において、いかなる可変抵抗器の位置にあっても、映像信号調整データが前回の調整データに対して全く変化しないという有利な効果が得られる。
【図面の簡単な説明】
【図１】本発明の一実施の形態による映像信号コントロール装置を示すブロック図である。
【図２】マイクロコンピュータ内部処理を示す機能ブロック図である。
【図３】マイクロコンピュータの動作を示すフローチャートである。
【図４】従来の映像信号コントロール装置を示すブロック図、及びマイクロコンピュータ内の機能ブロック図である。
【図５】マイクロコンピュータ内部のヒステリシス処理を示す説明図である。
【符号の説明】
１  可変抵抗器
２  Ａ／Ｄ変換装置
３  マイクロコンピュータ
４  映像信号調整回路
５  不揮発性メモリ
３１  ヒステリシス手段
３２  映像信号調整データ変換処理手段
３３  メモリ制御手段
３４  比較手段
３０１  Ａ／Ｄ変換されたディジタル信号
３０２  映像信号調整データ
３０３  映像信号調整データバックアップ値（不揮発性メモリ書き込み値）
３０４  映像信号調整データバックアップ値（不揮発性メモリ読出し値）
【図１】
0003628504.tif 000002
【図２】
0003628504.tif 000003
【図３】
0003628504.tif 000004
【図４】
0003628504.tif 000005
【図５】
0003628504.tif 000006